(57)【要約】【課題】本発明は、移動体電話装置のカラー再生特性を改良することを目的とする。【解決手段】移動体電話装置1 はマイクロホン1 と、スピーカ2 と、キーボード3 と、カラーディスプレイ装置4 と、デジタルカメラ5 と、送信／受信モジュール11と、アンテナ12と、コンピュータベースの制御装置7 と、関連する制御プログラム8 とを備え、さらにカラー管理モジュール20と少なくとも１つのカメラ装置プロフィール21とを具備し、デジタルカメラ5 により生成されるイメージデータのカラー補正を行うカラー管理システムを備えている。本発明ではこのカラー管理システムにより行われるイメージの補正により再生されたイメージのカラーの真実性が改善され、それによりディスプレイ装置4 による再生されるイメージを撮影されたもとのイメージに良好に対応させることができる。【選択図】    図３
2005176362.tif 000002
【特許請求の範囲】
【請求項１】
マイクロホン(1) と、スピーカ(2) と、キーボード(3) と、カラーディスプレイ装置(4) と、デジタルカメラ(5) と、送信／受信モジュール(11)と、アンテナ(12)と、コンピュータベースの制御装置(7) と、関連する制御プログラム(8) とを有する移動体電話装置において、
カラー管理モジュール(20)と少なくとも１つのカメラ装置プロフィール(21)とを有し、デジタルカメラ(5) により生成されるイメージデータ(51)のカラー補正を行うカラー管理システムを具備している移動体電話装置。
【請求項２】
カラー管理システムは、ディスプレイ装置プロフィール(22)を含み、それはディスプレイ装置(4) に供給されてカラー管理モジュール(20)と共同してイメージデータを補正する請求項１記載の移動体電話装置。
【請求項３】
２以上の選択可能なカメラ装置プロフィール(21)を含んでいる請求項１または２記載の移動体電話装置。
【請求項４】
２以上の選択可能なディスプレイ装置プロフィール(22)を含んでいる請求項２または３記載の移動体電話装置。
【請求項５】
カラー管理モジュール(20)は、通信送信を行う前に、デジタルカメラにより生成されたイメージデータ(51)をカメラ装置プロフィール(21)により送信されるイメージデータ(52)に変換する請求項１乃至４のいずれか１項記載の移動体電話装置。
【請求項６】
カラー管理モジュール(20)は、ディスプレイ装置(4) で再生される前に、遠隔的に受信されたイメージデータ(42)をディスプレイ装置プロフィール(22)により再生されるべきイメージデータ(41)に変換する請求項２乃至５のいずれか１項記載の移動体電話装置。
【請求項７】
カメラ装置プロフィール(21)の選択は自動的に行われる請求項１乃至６のいずれか１項記載の移動体電話装置。
【請求項８】
ディスプレイ装置プロフィール(22)の選択は自動的に行われる請求項２乃至７のいずれか１項記載の移動体電話装置。
【発明の詳細な説明】
【技術分野】
【０００１】
本発明は、マイクロホンと、スピーカと、キーボードと、カラーディスプレイ装置と、デジタルカメラと、送信／受信モジュールと、アンテナと、コンピュータベースの制御装置と、関連する制御プログラムとを有する移動体電話装置に関する。
【背景技術】
【０００２】
デジタルカメラを備えた移動体電話装置はポピュラーなものとなり、普及している。このような移動体電話装置により撮影されて記録された画像はカラーディスプレイ上に示され、通信で送信され、受信装置で表示される。今日利用可能な移動体電話装置においてはカラー再生は依然として比較的低品質である。具体的に、これはディスプレイにより生成される画像の可視カラーの印象がデジタルカメラにより捕捉された元のイメージのものと不十分にしか対応しないことを意味している。
【発明の開示】
【発明が解決しようとする課題】
【０００３】
それ故、本発明の目的は、一般的な移動体電話装置のカラー再生特性を改良することである。
【課題を解決するための手段】
【０００４】
この目的は、本発明の移動体電話装置により達成される。本発明は、マイクロホンと、キーボードと、スピーカと、カラーディスプレイ装置と、デジタルカメラと、送信／受信モジュールと、アンテナと、コンピュータベースの制御装置と、関連する制御プログラムとを有する移動体電話装置において、カラー管理モジュールと少なくとも１つのカメラ装置プロフィールとを有し、デジタルカメラにより生成されるイメージデータのカラー補正を行うカラー管理システムを具備していることを特徴とする。  
本発明の好ましい実施形態および開発プロセスは従属請求項に記載されている。
【０００５】
本発明の主要な技術思想によれば、移動体電話装置はまたカラー管理モジュールおよび１以上の装置プロフィールから構成されたカラー管理システムを備えている。カラー管理システムを集積することによって移動体電話装置のカラー再生特性は著しく改善されることができる。
【０００６】
カラー管理とカラー管理システムとはそれ自体は知られており、一般的にデジタルカラー再生プロセスにおいて使用されている。ｇｇｇ的背景について明瞭に理解させる論文およびカラー管理システムの技術および応用は文献に記載されている（1999年８月発行、“Postscriptum on Color Management,Philosophy and Technology of Color Management”著者Stefan Brues, Liane May,  Dietmar Fuch、）。さらに別のカラー管理に関する論文は、例えば1997年出版のMark D.Fairchildの“Device-Independent Color Imaging”の17章に記載されている。
【０００７】
カラープロフィール、またはもっと一般的には装置プロフィールはカラー管理において中心的な役割を演じている。それらは装置に特定されたカラースペースと装置に特定されないカラースペースとの間の特定のカラー値変換として作用し、それによって変換自体はカラー管理モジュールによりプロフィールの方法によって行われる。
【０００８】
カラープロフィールはそれらの原理的な構造に関して通常標準化されている。知られている一般的な通常の標準化はＩＣＣにしたがったものである（International Color Consortium  ｗｗｗ．color.org,specification according to  ＩＣＣ  ｗｗｗ．color.org/spec2.html）。この標準に対応するカラープロフィールは、それ故しばしばＩＣＣプロフィールとも呼ばれている。装置プロフィールは出力装置プロフィールと入力装置プロフィールとに分けられる。出力装置プロフィールはカラー値データにより制御される出力装置（プリンタ、スクリーン、ビーマ等）に関連して使用され、入力装置プロフィールは入力装置（スキャナー、デジタルカメラ等）を生成するカラー値データに対応している。
【０００９】
カラープロフィールの生成（計算）は通常カラーテーブルを使用して行われ、そのカラーテーブルは異なったカラーフィールドの代表的な選択を含み、そのカラー値は基礎となる装置に無関係なカラースペースにおいて（例えば較正された高度に正確なカラー測定装置による測定により）知られている。入力カラープロフィールに対しては、カラーテーブルは、対応する入力装置によってデジタル化され、それは各カラーフィールドに対して整合しているカラー値が入力装置の装置に特定されたカラースペース中に生成されることを意味している。これらの２つのデータセット（すなわち装置と無関係のカラースペース中のカラーフィールドのカラー値および装置に特定されたカラースペースのカラーフィールド中のカラー値）から，入力装置に対するカラープロフィールが数学的方法によって計算され、それによりまた異なった標準化された再生基準（表現意図）が考慮にいれられる。これらの再生基準に対して、モード“知覚”（イメージにおける等しいカラー印象）と、“相対的色測定”と、“絶対的色測定”と、および飽和と間で識別が行われ、それは文献（ＩＣＣのＩＣＣ-1:1998-09）に記載されている。カラープロフィールの計算に対してはソフトウエアパッケージが使用される（例えば、Logo GmbH 社の“Profile Marker Pro, Gretag Macbeth Group”）。出力装置プロフィールの発生は同様に行われるが、しかしながら比較に使用されたカラー測定データは出力装置により生成されたイメージから決定される。
【発明を実施するための最良の形態】
【００１０】
本発明を添付図面を参照にした以下詳細に説明する。  
図１に示された移動体電話装置ＭＰは部品としてマイクロホン1 、スピーカ2 、キーボード3 、グラフィック可能で、カラー可能なディスプレイ4 およびデジタルカメラ5 を有しており、デジタルカメラ5 はまたビデオシーケンスの記録のための装置を備えていてもよい。ディスプレイ4 はＴＦＴディスプレイとして通常構成されている。
【００１１】
主要部品は図２に示されているように対応するインターフェース6 を介してコンピュータベースの制御電子装置7 に接続され、その制御電子装置7 はプログラム8 により制御される。制御電子装置7 はさらにメモリ9 に接続され、電話モジュール10と共同して動作する。後者の電話モジュール10は高周波送信機／受信機モジュール11に接続され、この送信機／受信機モジュール11は最終的にアンテナ12に高周波信号を出力し、またアンテナ12から信号を受信する。信号送信以外の移動体電話装置ＭＰの全ての機能はプログラム8 によって実行される。
【００１２】
本発明による移動体電話装置ＭＰは、この形式の既知の装置と十分に完全にその構造ならびに機能に関して対応しており、それ故、当業者はそれに関してさらに説明する必要はない。
【００１３】
本発明による移動体電話装置ＭＰとこの形式の通常の装置との相違は図３の詳細図から明らかである。
【００１４】
本発明の最も本質的な特徴によれば、プログラム8 は一般的に知られているカラー管理モジュール20を含んでおり、それはＩＣＣプロフィールによりそれに供給されるイメージデータのカラースペース変換を行うことができる。要求されるＩＣＣプロフィールは少なくとも１つのカメラ装置プロフィール21と少なくとも１つのディスプレイ装置プロフィール22の形態でメモリ9 中に記憶されている。
【００１５】
デジタルカメラ5 により生成されたデジタルカメライメージデータ51はカメラ装置プロフィール（入力装置プロフィール）21とディスプレイプロフィール（出力装置プロフィール）22とによりカラー管理モジュール20により変換され、それによって対応するデジタルディスプレイイメージデータ41中において再計算され、それはその後ディスプレイ4 により再生される。イメージ再生のカラーの真実性はイメージデータのこの変換または再計算によって顕著に改善され、それはディスプレイ装置により再生されたイメージのモチーフが、カラー管理システムのない通常の移動体電話装置に比較してデジタルカメラにより記録されたもとのイメージのモチーフに非常によくカラーが対応していることを意味している。
【００１６】
図３に示されているように、複数のカメラ装置プロフィール21と複数のディスプレイ装置プロフィール22はまたメモリ9 中に記憶されることができる。個々のカメラ装置プロフィール21はそれによって例えば、記録中の異なった照明状態（太陽光、人工光等）に対して最適にされることができて、それにより各最適のカメラ装置プロフィールのセクションが手作業によって行われ、またはプログラム8 によって自動的に行われる。例えばカメライメージデータ51の解析により行われる。個々のディスプレイ装置プロフィール22は例えばディスプレイ装置4 の異なった輝度調節に対して最適化されることができ、それにより各最適のディスプレイ装置プロフィールの選択が選択された輝度調節により得られる。
【００１７】
カメラ装置プロフィール21とディスプレイ装置プロフィール22の生成は移動体電話装置ＭＰ、またはディスプレイ装置4 またはデジタルカメラ5 の製造業者により上述した方法で行われる。
【００１８】
需要が低い場合には、ディスプレイ装置プロフィール22は除外されることができる。その場合には、デジタルカメラ5 のカラー伝送特性だけが補正される。
【００１９】
デジタルカメラ5 により撮影されたイメージの電話伝送に対しては、カメライメージデータ51はまた補正されたカメラ装置プロフィール21のみに基づいて行われ、補正された伝送されたイメージデータ42の形態で利用されることもできる。反対に、受信されたイメージデータ42は直接表示され、或いはディスプレイ装置プロフィール22のみに基づいてディスプレイイメージデータ41に変換され、その後ディスプレイ装置4 によりイメージとして表示される。
【図面の簡単な説明】
【００２０】
【図１】本発明による移動体電話装置の例示的な実施形態の外観図。
【図２】図１の移動体電話装置の主要な機能概略図。
【図３】本発明によるカメラの詳細なブロック図。
【図１】
2005176362.tif 000003
【図２】
2005176362.tif 000004
【図３】
2005176362.tif 000005